(57)【要約】【課題】収容物と収容袋との対応を確実としながら、情報の記載から封緘までの取り扱いのみならず、開封作業時の取り扱いも容易に行うことができる収容袋を提供する。【解決手段】第１のシート（表面シート１０１，粘着層１０２，剥離シート１０３）と第２のシート（裏面シート１０５）とを１方向が開口するように他方向の端部を綴じて袋状に形成した収容袋であって、第１のシートは、情報の記入及び印刷が可能であって、かつ、剥がして利用可能に形成されたラベル領域１０１ａを有し、第１のシートの開口部１００ａの近傍には、第２のシートよりも開口方向に突出した突出部１００ｂが設けられており、突出部１００ｂは、折り返すことにより開口部１００ａを封緘可能となるように形成されており、封緘された収容袋１００の切断開封を容易にさせるように開封線１１４が第１のシート及び第２のシートに形成されている。【選択図】図１
2011184069.tif 000002
【特許請求の範囲】
【請求項１】
第１のシートと第２のシートとを１方向が開口するように他方向の端部を綴じて袋状に形成した収容袋であって、
前記第１のシートは、情報の記入及び／又は印刷が可能であって、かつ、剥がして利用可能に形成されたラベル領域を有し、
前記第１のシートの開口部の近傍には、前記第２のシートよりも開口方向に突出した突出部が設けられており、
前記突出部は、折り返すことにより前記開口部を封緘可能となるように形成されており、
封緘された当該収容袋の切断開封を容易にさせるように切り取り容易化部が前記第１のシート及び第２のシートに形成されていること、
を特徴とする収容袋。
【請求項２】
請求項１に記載の収容袋において、
前記第１のシートは、表面側に情報の記入及び／又は印刷が可能な表面シートと、
前記表面シートの裏面側に設けられた粘着層と、
前記粘着層に対して仮着された剥離シートと、
を有し、
前記第２のシートは、前記第１のシートとの間で少なくとも１方向が開口するように他方向の端部を綴じて前記剥離シートに対して接合されており、
前記突出部には、前記剥離シートに形成された剥離シート除去容易化部と、前記剥離シート除去容易化部の近傍において前記表面シートに形成された折り曲げ容易化部と、
が設けられていること、
を特徴とする収容袋。
【請求項３】
請求項２に記載の収容袋において、
前記剥離シート除去容易化部は、前記剥離シートに形成されたスリットであり、
前記折り曲げ容易化部は、前記表面シートの前記剥離シート除去容易化部と重なる位置に形成されたミシン目であること、
を特徴とする収容袋。
【請求項４】
請求項２又は請求項３に記載の収容袋において、
前記ラベル領域は、前記表面シートに形成されたスリットによって囲まれて区画されていること、
を特徴とする収容袋。
【請求項５】
請求項２から請求項４までのいずれか１項に記載の収容袋において、
前記剥離シートは、前記表面シートよりも一回り大きく形成されていること、
を特徴とする収容袋。
【請求項６】
請求項２から請求項５までのいずれか１項に記載の収容袋において、
前記剥離シートが切断容易な形態で接続されることにより、複数の当該収容袋が連続して帯状の連続体を形成していること、
を特徴とする収容袋。
【請求項７】
請求項１から請求項６までのいずれか１項に記載の収容袋において、
前記第１のシートには、前記ラベル領域を除く領域に情報の記入及び／又は印刷が可能な領域が設けられていること、
を特徴とする収容袋。
【発明の詳細な説明】
【技術分野】
【０００１】
本発明は、例えば、病理検査の検体等を収容する収容袋に関するものである。
【背景技術】
【０００２】
例えば、集団検診等において検便等を実施するときには、受診者各位が検体（例えば、便）を専用容器等に採取し、それを回収している。このとき、検体が誰のものであるのかといった情報は、専用容器や回収用の収容袋等に受診者各位が記載する場合が多かった。専用容器に情報を記載する場合には、容器上に直接記載を行うのでは、記載作業がやり難いという問題があった。また、収容袋に情報を記載する場合には、収容袋に記載された情報と、検体等の収容物とが正確に対応しているか否かを確認しなければならないという問題があった。この場合、収容物に情報の記載が無いときには、誤って収容袋から収容物が出てしまうと、収容物が誰のものであるのかを特定することが困難になるおそれがあった。
【０００３】
このような問題を解決する技術として、手書き記入を不要とし、また、袋体と収容物の照合を容易にすることができるラベルシート付き袋体が特許文献１に開示されている。
【先行技術文献】
【特許文献】
【０００４】
【特許文献１】特開２００４−５９１０８号公報
【発明の概要】
【発明が解決しようとする課題】
【０００５】
しかし、特許文献１の技術では、封緘することにより収容物が収容袋内から出てしまうことを防ぐことができる一方、検査を行うときの作業性が悪化するという問題があった。すなわち、収容袋は、簡単に破れたりすることのないように製造されているので、開封作業が困難であった。
【０００６】
本発明の課題は、収容物と収容袋との対応を確実としながら、情報の記載から封緘までの取り扱いのみならず、開封作業時の取り扱いも容易に行うことができる収容袋を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
【０００８】
請求項１の発明は、第１のシート（１０１，１０２，１０３）と第２のシート（１０５）とを１方向が開口するように他方向の端部を綴じて袋状に形成した収容袋であって、前記第１のシートは、情報の記入及び／又は印刷が可能であって、かつ、剥がして利用可能に形成されたラベル領域（１０１ａ）を有し、前記第１のシートの開口部（１００ａ）の近傍には、前記第２のシートよりも開口方向に突出した突出部（１００ｂ）が設けられており、前記突出部は、折り返すことにより前記開口部を封緘可能となるように形成されており、封緘された当該収容袋の切断開封を容易にさせるように切り取り容易化部（１１４）が前記第１のシート及び第２のシートに形成されていること、を特徴とする収容袋（１００）である。
【０００９】
請求項２の発明は、請求項１に記載の収容袋において、前記第１のシートは、表面側に情報の記入及び／又は印刷が可能な表面シート（１０１）と、前記表面シートの裏面側に設けられた粘着層（１０２）と、前記粘着層に対して仮着された剥離シート（１０３）と、を有し、前記第２のシート（１０５）は、前記第１のシートとの間で少なくとも１方向が開口するように他方向の端部を綴じて前記剥離シートに対して接合されており、前記突出部には、前記剥離シートに形成された剥離シート除去容易化部（１１２）と、前記剥離シート除去容易化部の近傍において前記表面シートに形成された折り曲げ容易化部（１１３）と、が設けられていること、を特徴とする収容袋（１００）である。
【００１０】
請求項３の発明は、請求項２に記載の収容袋において、前記剥離シート除去容易化部（１１２）は、前記剥離シート（１０３）に形成されたスリットであり、前記折り曲げ容易化部（１１３）は、前記表面シート（１０１）の前記剥離シート除去容易化部と重なる位置に形成されたミシン目であること、を特徴とする収容袋（１００）である。
【００１１】
請求項４の発明は、請求項２又は請求項３に記載の収容袋において、前記ラベル領域（１０１ａ）は、前記表面シート（１０１）に形成されたスリット（１１５）によって囲まれて区画されていること、を特徴とする収容袋（１００）である。
【００１２】
請求項５の発明は、請求項２から請求項４までのいずれか１項に記載の収容袋において、前記剥離シート（１０３）は、前記表面シート（１０１）よりも一回り大きく形成されていること、を特徴とする収容袋（１００）である。
【００１３】
請求項６の発明は、請求項２から請求項５までのいずれか１項に記載の収容袋において、前記剥離シート（１３０）が切断容易な形態で接続されることにより、複数の当該収容袋が連続して帯状の連続体を形成していること、を特徴とする収容袋（１００）である。
【００１４】
請求項７の発明は、請求項１から請求項６までのいずれか１項に記載の収容袋において、前記第１のシート（１０１，１０２，１０３）には、前記ラベル領域（１０１ａ）を除く領域に情報の記入及び／又は印刷が可能な領域（１０１ｂ）が設けられていること、を特徴とする収容袋（１００）である。
【発明の効果】
【００１５】
本発明によれば、以下の効果を奏することができる。
【００１６】
（１）収容袋は、第１のシートと第２のシートとを１方向が開口するように他方向の端部を綴じて袋状に形成した収容袋であって、第１のシートは、情報の記入及び／又は印刷が可能であって、かつ、剥がして利用可能に形成されたラベル領域を有し、第１のシートの開口部の近傍には、第２のシートよりも開口方向に突出した突出部が設けられており、突出部は、折り返すことにより開口部を封緘可能となるように形成されており、封緘された当該収容袋の切断開封を容易にさせるように切り取り容易化部が第１のシート及び第２のシートに形成されている。これにより、本発明の収容袋は、収容物と収容袋との対応を確実としながら、情報の記載から封緘までの取り扱いのみならず、開封作業時の取り扱いも容易に行うことができる。
【００１７】
（２）第１のシートは、表面側に情報の記入及び／又は印刷が可能な表面シートと、表面シートの裏面側に設けられた粘着層と、粘着層に対して仮着された剥離シートと、を有し、第２のシートは、第１のシートとの間で少なくとも１方向が開口するように他方向の端部を綴じて剥離シートに対して接合されており、突出部には、剥離シートに形成された剥離シート除去容易化部と、剥離シート除去容易化部の近傍において表面シートに形成された折り曲げ容易化部とが設けられている。よって、本発明の収容袋は、剥離シートの一部を容易に剥離することができ、突出部を折り返して封緘する作業を簡単に行える。
【００１８】
（３）剥離シート除去容易化部は、剥離シートに形成されたスリットであり、折り曲げ容易化部は、表面シートの剥離シート除去容易化部と重なる位置に形成されたミシン目であることを特徴とする。よって、本発明の収容袋は、簡単な構成により、剥離シートの一部を容易に剥離することができ、突出部を折り返して封緘する作業を簡単に行える。
【００１９】
（４）ラベル領域は、表面シートに形成されたスリットによって囲まれて区画されていることを特徴とする。よって、本発明の収容袋は、ラベル領域を簡単に剥がしてラベルとして利用できる。
【００２０】
（５）剥離シートは、表面シートよりも一回り大きく形成されていることを特徴とする。よって、ラベルプリンタにより印刷を行うときに、表面シート及び粘着層の両端がラベルプリンタのガイドに接触しても、ガイドに糊が付着することを防止できる。
【００２１】
（６）収容袋は、剥離シートが切断容易な形態で接続されることにより、複数の当該収容袋が連続して帯状の連続体を形成していることを特徴とする。よって、本発明の収容袋は、比較的小型の収容袋であっても、ラベル領域等への印刷を容易に行うことができる。
【００２２】
（７）第１のシートには、ラベル領域を除く領域に情報の記入及び／又は印刷が可能な領域が設けられていることを特徴とする。よって、この領域に情報を表示することにより本発明の収容袋は、収容袋だけであっても収容物を特定できる。
【図面の簡単な説明】
【００２３】
【図１】本発明による収容袋１００の実施形態を示す図である。
【図２】収容袋１００を使用する第１の過程を示す図である。
【図３】収容袋１００を使用する第２の過程を示す図である。
【図４】収容袋１００を使用する第３の過程を示す図である。
【図５】収容袋１００を使用する第４の過程を示す図である。
【発明を実施するための形態】
【００２４】
以下、本発明を実施するための最良の形態について図面等を参照して説明する。
【００２５】
（実施形態）
図１は、本発明による収容袋１００の実施形態を示す図である。図１（ａ）は、収容袋１００の表面を示す図であり、図１（ｂ）は、収容袋１００を図１（ａ）中に示した矢印Ａ−Ａで切断した断面を示す図であり、図１（ｃ）は、収容袋１００の裏面を示す図である。なお、以下の説明中では、図１（ａ）に示す面側、すなわち、表面シート１０１が露呈されている側を表面と呼び、その反対側を裏面と呼ぶこととする。また、表面、裏面という文言は、説明の便宜上用いているものであり、表、裏という文言に特別な意味を付するものではない。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００２６】
本実施形態の収容袋１００は、表面側から順に、表面シート１０１と、粘着層１０２と、剥離シート１０３と、接合層１０４と、裏面シート１０５とを積層して形成されている。
【００２７】
表面シート１０１は、各種プリンタにより印刷可能、かつ、筆記具による記入が可能な素材により形成されている。
【００２８】
粘着層１０２は、表面シート１０１の裏面側全面に形成された粘着性を備える層である。
表面シート１０１及び粘着層１０２は、剥離シート１０３よりも一回り小さく形成されている。これにより、不図示のラベルプリンタにより印刷を行うときに、表面シート１０１及び粘着層１０２の両端がラベルプリンタのガイドに接触しても、ガイドに糊が付着することを防止できる。
【００２９】
剥離シート１０３は、粘着層１０２に仮着されたシートである。本実施形態の剥離シート１０３は、基材層１０３ａと、剥離層１０３ｂとを有した２層構造となっているが、単層又は３層以上で構成してもよい。また、剥離シート１０３は、後述の分割線１１１において切断容易な形態で接続されることにより、複数の収容袋１００が連続して帯状の連続体を形成している。この連続体は、通常、ロール状に巻かれている。
【００３０】
接合層１０４は、剥離シート１０３と裏面シート１０５とを接合する接着剤層である。図１（ｃ）には、接合層１０４が設けられる範囲を、裏面シート１０５を透視した形態でハッチングにより示している。
【００３１】
裏面シート１０５は、剥離シート１０３との間で図１中の左方向の一辺が開口するように他の３方向（３辺）の端部を綴じて剥離シート１０３に対して接合層１０４を介して接合されている。
本実施形態では、上述した表面シート１０１と、粘着層１０２と、剥離シート１０３とからなるシートを第１のシートとし、裏面シート１０５を第２のシートとしている。そして、第１のシート（表面シート１０１，粘着層１０２，剥離シート１０３）と第２のシート（裏面シート１０５）とを接合層１０４により１方向が開口するように他方向の端部を綴じて袋状の収容袋１００としている。
【００３２】
また、本実施形態の収容袋１００には、開口部１００ａと、突出部１００ｂと、ラベル領域１０１ａと、空白領域１０１ｂと、分割線１１１と、封緘用スリット１１２と、折り曲げ線１１３と、開封線１１４と、ラベル区分スリット１１５と、検出マーク１１６とが設けられている。
【００３３】
開口部１００ａは、第１のシート（表面シート１０１，粘着層１０２，剥離シート１０３）と第２のシート（裏面シート１０５）とが接合されていない部分である。この開口部１００ａから、収容袋１００に収容する収容物を挿入することができる。
【００３４】
突出部１００ｂは、第１のシート（表面シート１０１，粘着層１０２，剥離シート１０３）の開口部１００ａ近傍に、第２のシート（裏面シート１０５）よりも開口方向（図１中の左方向）に突出した部分である。
【００３５】
ラベル領域１０１ａは、表面シート１０１の一部であって、ラベル区分スリット１１５によって囲まれて区画されている領域である。このラベル領域１０１ａは、表面シート１０１から分離してラベルとして利用することができる。例えば、ラベル領域１０１ａには、収容袋１００に収容する収容物に関する情報を印刷して、収容物に貼り付ける等の利用方法がある。
【００３６】
空白領域１０１ｂは、表面シート１０１のラベル領域１０１ａ以外の領域である。この空白領域１０１ｂには、例えば、収容袋１００に収容する収容物に関する情報を印刷することができる。
【００３７】
分割線１１１は、収容袋１００を個々に切断するための剥離シート１０３に設けられたミシン目である。
封緘用スリット１１２は、突出部１００ｂの剥離シート１０３に設けられた剥離シート除去容易化部である。剥離シート１０３は、この封緘用スリット１１２を挟んで２つに切断された状態となっている。図１中で剥離シート１０３の封緘用スリット１１２よりも左側の部分を剥離片１０３ｃと呼ぶこととする。
【００３８】
折り曲げ線１１３は、収容袋１００を封緘するときに、折り曲げを容易に行うことができるように設けられた折り曲げ容易化部である。本実施形態では、折り曲げ線１１３は、ミシン目である。また、本実施形態では、折り曲げ線１１３は、封緘用スリット１１２と重なる位置に設けられている。
【００３９】
収容袋１００を封緘するときには、封緘用スリット１１２を用いて剥離片１０３ｃを粘着層１０２から剥離して除去し、残る突出部１００ｂを折り曲げ線１１３で折り曲げて、露呈している粘着層１０２を裏面シート１０５に貼り付ける。
【００４０】
開封線１１４は、封緘された収容袋１００の切断開封を容易にさせるように、表面シート１０１と、粘着層１０２と、剥離シート１０３と、接合層１０４と、裏面シート１０５とに設けられた切り取り容易化部である。本実施形態では、開封線１１４は、ミシン目で形成されている。封緘された収容袋１００を開封するときには、この開封線１１４を利用することにより、開封を容易に行える。
【００４１】
ラベル区分スリット１１５は、表面シート１０１に設けられており、ラベル領域１０１ａを囲んで区画するスリットである。
検出マーク１１６は、不図示のラベルプリンタ等により印刷を行うときの位置検出に用いられる印である。
【００４２】
次に、本実施形態の収容袋１００の使用方法について説明する。
図２は、収容袋１００を使用する第１の過程を示す図である。
図２及び後述の図３から図５では、各シート等の厚さを図１よりも薄く描いている。また、図２から図５の（ａ），（ｂ），（ｃ）それぞれは、図１（ａ），（ｂ），（ｃ）と同様な方向からの図として示している。
【００４３】
まず、不図示のラベルプリンタ等を利用して、収容袋１００のラベル領域１０１ａ及び空白領域１０１ｂに各種情報の印刷を行う。図２に示した例では、健康診断を受ける受診者の氏名と、受診者を特定するＩＤを示すバーコードとを印刷している。
例えば、図２に示すように印刷された収容袋１００を受け取った受診者は、検査用に提出する検体（検便であれば、便を採取した容器）等の収容物に、ラベル領域１０１ａから剥がししたラベルを貼り付ける。そして、その収容物（検体）を開口部１００ａから収容袋１００内に挿入する。なお、収容物は、図２から図５では省略している。
【００４４】
図３は、収容袋１００を使用する第２の過程を示す図である。
検体等の収容物を収容したら、収容袋１００の封緘を行う。収容袋１００の封緘を行うときには、封緘用スリット１１２（図１，図２参照）を利用して剥離片１０３ｃを剥離して、剥離片１０３ｃを除去する。そうすると、裏面側に粘着層１０２が露呈する。
【００４５】
図４は、収容袋１００を使用する第３の過程を示す図である。
剥離片１０３ｃが除去された収容袋１００の突出部１００ｂを、折り曲げ線１１３（図１，図３参照）で折り返して、粘着層１０２を裏面シート１０５に貼り付けて、封緘を完了する。
【００４６】
図５は、収容袋１００を使用する第４の過程を示す図である。
収容袋１００を回収した検査担当者は、収容袋１００内に収容された収容物を収容袋１００から取り出す。このとき、開封線１１４を利用して、開封線１１４部分で切断することにより、はさみ等を用いることなく、収容袋１００を容易に開封できる。
【００４７】
以上説明したように、本実施形態によれば、ラベル領域１０１ａを設けたので、このラベル領域１０１ａに情報の印刷や記入を行い、収容物に貼り付けて利用できる。これにより、収容物と収容袋との対応を確実にできる。また、空白領域１０１ｂにも情報の印刷や記入を行うことにより、収容袋だけで収容物を特定できる。さらに、封緘用スリット１１２を設けて突出部１００ｂを折り返して封緘できるようにしたので、封緘作業を容易に行える。さらにまた、開封線１１４を設けたので、開封作業を容易に行える。
【００４８】
（変形形態）
以上説明した実施形態に限定されることなく、種々の変形や変更が可能であって、それらも本発明の範囲内である。
（１）本実施形態において、収容袋１００は、検体を収容する場合を例に挙げて説明した。これに限らず、例えば、薬品を収容する場合に利用してもよいし、その他、収容物は、どのようなものであってもよい。
【００４９】
（２）本実施形態において、空白領域１０１ｂには、ラベル領域１０１ａに印刷する情報と同様な情報を印刷する例を挙げて説明した。これに限らず、例えば、空白領域を設けなくとてもよい。
【００５０】
（３）本実施形態において、収容袋１００は、複数が連続して帯状の連続体を形成している例を挙げて説明した。これに限らず、例えば、収容袋毎が接続されていない枚葉状態であってもよい。
【００５１】
なお、実施形態及び変形形態は、適宜組み合わせて用いることもできるが、詳細な説明は省略する。また、本発明は以上説明した各実施形態によって限定されることはない。
【符号の説明】
【００５２】
１００    収容袋
１００ａ  開口部
１００ｂ  突出部
１０１    表面シート
１０１ａ  ラベル領域
１０１ｂ  空白領域
１０２    粘着層
１０３    剥離シート
１０３ａ  基材層
１０３ｂ  剥離層
１０３ｃ  剥離片
１０４    接合層
１０５    裏面シート
１１１    分割線
１１２    封緘用スリット
１１３    折り曲げ線
１１４    開封線
１１５    ラベル区分スリット
１１６    検出マーク
【図１】
2011184069.tif 000003
【図２】
2011184069.tif 000004
【図３】
2011184069.tif 000005
【図４】
2011184069.tif 000006
【図５】
2011184069.tif 000007